(57)【要約】【課題】必ずしもモニタ装置側への必要がない情報を、モニタ装置が表示する映像と独立に、情報記録再生装置の表示装置に表示することにより、ユーザの利便性を高めることが可能な情報記録再生装置および映像表示方法を提供する。【解決手段】この発明の実施の一形態は、本体前面パネル配置された表示部に番組情報を表示できる情報記録再生装置において、第１の映像信号とは異なる選択入力が求められる選択入力表示を表示する第２の映像信号を出力する際に、第２の映像信号の出力が必要ない操作に関する情報について、本体表示部にのみ表示させることを特徴とする。【選択図】図１
2010166415.tif 000002
【特許請求の範囲】
【請求項１】
コンテンツの映像を再生する第１の映像信号を出力する映像信号処理モジュールと、
前記第１の映像信号とは異なる選択入力が求められる選択入力表示を表示する第２の映像信号を出力する第２の映像信号処理モジュールと、
文字列情報を表示可能な本体表示部と、
前記第２の映像信号処理モジュールによる前記第２の映像信号の出力が必要ない操作に関する情報について、前記本体表示部にのみ表示させる表示制御モジュールと、
を有することを特徴とする情報記録再生装置。
【請求項２】
前記表示制御モジュールは、前記本体表示部と独立して用意される表示装置に前記第２の映像信号処理モジュールが表示するアラートを参照することを促す表示を前記本体表示部に表示させることを特徴とする請求項１記載の情報記録再生装置。
【請求項３】
前記本体表示部と独立して用意される表示装置の電源がオフである場合、前記表示装置の電源をオンし、前記第２の映像信号処理モジュールが出力する前記第２の映像信号出力を表示可能に前記表示装置の入力を切換え、前記本体表示部と独立して用意される表示装置に表示するアラートを参照することを促す表示を前記本体表示部に表示させることを特徴とする請求項１記載の情報記録再生装置。
【請求項４】
前記本体表示部は、前記本体表示部と独立して用意される表示装置に表示するアラートの参照を促すメッセージを表示することを特徴とする請求項２記載の情報記録再生装置。
【請求項５】
前記本体表示部は、前記本体表示部と独立して用意される表示装置に表示するアラートの参照を促すメッセージを表示することを特徴とする請求項３記載の情報記録再生装置。
【請求項６】
前記表示装置に表示するアラートは、選択入力があるまで継続して表示されることを特徴とする請求項２記載の情報記録再生装置。
【請求項７】
前記表示装置に表示するアラートは、選択入力があるまで継続して表示されることを特徴とする請求項３記載の情報記録再生装置。
【請求項８】
前記表示制御モジュールは、選択入力を伴うことのない情報を、前記本体表示部に表示させることを特徴とする請求項２記載の情報記録再生装置。
【請求項９】
前記表示制御モジュールは、選択入力を伴うことのない情報を、前記本体表示部に表示させることを特徴とする請求項３記載の情報記録再生装置。
【請求項１０】
第１の映像信号とは異なる選択入力が求められる選択入力表示を表示する第２の映像信号を出力する際に、
第２の映像信号の出力が必要ない操作に関する情報について、本体表示部にのみ表示させる
ことを特徴とする映像表示方法。
【発明の詳細な説明】
【技術分野】
【０００１】
この発明は、例えばテレビジョン放送やネットワークにより提供される映像を記録し、再生する情報記録再生装置および映像表示方法に関する。
【背景技術】
【０００２】
情報記録再生装置すなわちレコーダ装置において、ビデオテープを記録媒体とした時代から、ドットマトリクス表示管やＬＥＤアレイを用い、必要最小の表示スペースで、最大の情報をレコーダ装置本体に表示する方法が広く用いられている。
【０００３】
しかしながら、ＯＳＤ（On Screen Display）技術の普及に伴い、例えば録画予約の登録においては、モニタ装置（テレビジョン装置）に表示された録画予約画面上で、対象のチャンネル、曜日、開始時刻、終了時刻、録画モード等を、カーソルの移動（入力対象項目の選択）と決定（ＯＫ）ボタン等の操作により容易に登録可能である。
【０００４】
このような背景から、今日では、レコーダ装置本体に設けられる本体表示部が表示する情報は、比較的限られた情報に遷移している。
【０００５】
反面、モニタ装置（ディスプレイ装置）へのＯＳＤ技術の普及に伴い、番組を視聴中であっても、モニタ装置側にＧＵＩメッセージが表示されることになる。
【０００６】
特許文献１（先行技術文献）には、再生装置を操作している途中でエラーが発生した場合、フロントパネルに短いエラーメッセージが表示されるが、エラーの詳細や対処方法を示す長いメッセージは、再生装置のフロントパネルに比べて表示能力の高い表示装置側へのＧＵＩ表示により、ユーザに通知することが開示されている。
【先行技術文献】
【特許文献】
【０００７】
【特許文献１】特開２００７−１４１３４５号公報、段落［０００３］〜［０００５４］、図４、図６
【発明の概要】
【発明が解決しようとする課題】
【０００８】
特許文献１（先行技術文献）に示された技術は、再生装置のフロントパネルと表示装置によるＧＵＩ表示の両方に、実質的に同じ内容を表示するものである。従って、表示装置がオンされている場合には、再生装置のフロントパネルに表示されるエラーメッセージが有効に利用されない（ユーザが再生装置のエラーメッセージに注目することが少ない）。
【０００９】
この発明の目的は、情報記録再生装置の本体に設けられる本体表示装置において、情報記録再生装置に接続される表示再生装置を用いる表示が不可欠な表示以外は本体表示装置に表示させるとともに、番組の視聴中に必ずしも表示再生装置による表示が必要とは限らない制御情報を表示しないことにより、ユーザの利便性を高めることのできる情報記録再生装置および映像表示方法を提供することである。
【課題を解決するための手段】
【００１０】
この発明は、上記問題点に基づきなされたもので、コンテンツの映像を再生する第１の映像信号を出力する映像信号処理モジュールと、前記第１の映像信号とは異なる選択入力が求められる選択入力表示を表示する第２の映像信号を出力する第２の映像信号処理モジュールと、文字列情報を表示可能な本体表示部と、前記第２の映像信号処理モジュールによる前記第２の映像信号の出力が必要ない操作に関する情報について、前記本体表示部にのみ表示させる表示制御モジュールと、を有することを特徴とする情報記録再生装置を提供するものである。
【発明の効果】
【００１１】
この発明の一つの実施の形態によれば、モニタ装置が表示する映像とは独立に、必ずしもモニタ装置側への必要がない情報を、情報記録再生装置の表示装置に表示することができる。すなわち、情報記録再生装置単体により入力可能な本体入力操作に関わる通知情報については、視聴中である映像の再生（画面表示）を邪魔することなく、本体表示装置にのみ表示させることができ、ユーザの利便性が高められる。
【図面の簡単な説明】
【００１２】
【図１】この発明の実施の形態が適要される情報記録再生装置の一例を示す概略図。
【図２】図１に示した情報記録再生装置（レコーダ装置）とモニタ装置（テレビジョン受信装置）との間の接続を概念的に示す概略図。
【図３】図１に示した情報記録再生装置の本体表示部の表示例の一例を示す概略図。
【図４】図１に示した情報記録再生装置の本体表示部の表示例の一例を示す概略図。
【図５】図１に示した情報記録再生装置の本体表示部に対し、接続された表示装置の表示時を参照することを促す表示例の一例を示す概略図。
【図６】図１に示した情報記録再生装置と接続されたモニタ（テレビジョン）装置に表示する表示例の一例を示す概略図。
【図７】図１に示した情報記録再生装置の本体表示部に対し、接続された表示装置の表示時を参照することを促す表示例の一例を示す概略図。
【図８】図１に示した情報記録再生装置と接続されたモニタ（テレビジョン）装置に表示する表示例の一例を示す概略図。
【図９】図１に示した情報記録再生装置の本体予約操作時に、本体表示部へのメッセージの表示と情報記録再生装置と接続されたモニタ（テレビジョン）装置にアラートを表示する手順の一例を説明する概略図。
【発明を実施するための形態】
【００１３】
以下、図面を参照して、本発明の実施の一形態について説明する。
【００１４】
図１は、本発明の実施の形態が適用可能な情報記録再生装置（レコーダ装置）の一例を示す。なお、以下に説明する各要素において、「モジュール」と呼称する要素は、ハードウエアで実現するものであってもよいし、ＣＰＵ（マイクロコンピュータ）等を用いて、ソフトウエアで実現するものであってもよい。
【００１５】
情報記録再生装置１は、アンテナを介して取得可能な番組を選局して受信するチューナ３、チューナ３により受信した番組の録画や録画予約の登録に用いられるメイン制御モジュール（主制御ブロック）５、メイン制御モジュール５に対して録画予約の登録のためのユーザ入力や登録された録画予約に対応して電源のオン／オフを制御するサブ制御モジュール７、チューナ３により受信した番組を外部装置として接続される映像表示装置（モニタ装置）１０１が表示可能に処理するとともに、ユーザからの要求がある場合に、後段に説明する記録ユニットに記録（録画）する録画再生信号処理モジュール９を含む。なお、モニタ装置１０１は、映像のみを再生（表示）可能なディスプレイ装置であってもよく、あるいはスピーカやチューナを伴った通常のテレビジョン受信機であってもよい。また、情報記録再生装置１は、図２に概略を示す通り、モニタ装置１０１とは別体に用意され、例えばＨＤＭＩ（High-definition Digital Media Interface）インタフェースにより相互に接続されているものとする。
【００１６】
チューナ３は、図示しない衛星用アンテナにより受信した衛星放送の任意のチャンネルを選局する。同様に、図示しない地上波アンテナにより受信した地上デジタル放送あるいは地上アナログ放送の任意のチャンネルを選局する。なお、今日、衛星放送向け、地上波向けに、それぞれ、２以上のチューナが用意される場合もあり、複数チャンネルの番組が選局できる場合もある。また、複数のチューナモジュールが一体化されたマルチチューナが搭載されている場合も、同様に複数チャンネルの番組を選択可能である。
【００１７】
すなわち、チューナ３は、地上アナログ／地上デジタル等に代表される任意形式の公衆向け放送や、放送衛星を介して供給される公衆向け衛星放送波の任意のチャンネルの番組（コンテンツ）を受信可能で、例えば、ＴＳ（Transport stream）形式であるデジタル放送を受信できる。なお、チューナ３は、例えば光ケーブル等を介して、プロバイダあるいは配信局（地域ネットワーク基地局）等から供給される限定的なコンテンツも受信可能である。
【００１８】
メイン制御モジュール５は、サブ制御モジュール７を経由したユーザの直接操作を受けつけるユーザ操作入力部１１、リモート端末（リモコン）１７によるユーザ操作を受けつけるリモコン受信部１５、及び入力された（あるいは入力途中の）予約情報や入力予約情報に対するメッセージを表示可能な本体表示部１９と接続している。なお、メイン制御モジュール５には、メモリモジュール１３が接続される。
【００１９】
メイン制御モジュール５は、電源がオン（「入」）であるかオフ（「切」）であるか、を判断する電源状態取得判定モジュール５ａ、ユーザにより入力される録画予約のための予約情報を処理する予約情報処理モジュール５ｂ、ユーザにより入力される録画予約に対する“アラート（警告）”の発行（出力）／非発行（非出力）を制御するアラート判断モジュール５ｃ、及び後段に説明する“アラート”の発行と本体表示部１９へのメッセージの表示を制御するメッセージ／アラート表示処理モジュール５ｄ、等を含む。
【００２０】
サブ制御モジュール７は、ユーザ操作入力部１１によるユーザからの直接入力（本体予約操作）を検出し、キー操作に対応する制御信号やコマンドをメイン制御モジュール５に入力する本体キー検出処理部７ａ、リモート端末１７の操作によるリモコン受信部１５を経由したユーザ入力（リモコン操作）を検出し、リモコン操作（キー入力）に対応する制御信号やコマンドをメイン制御モジュール５に入力するリモコンキー検出処理部７ｂ、サブ制御モジュール７に接続された電源部３１のオン（「入」）／オフ（「切」）を制御する電源制御モジュール７ｃを含む。なお、メイン制御モジュール５とサブ制御モジュール７が一体的に構成されることは、何ら問題ないことはいうまでもない。
【００２１】
また、主制御モジュール５は、ＯＳＤ（On Screen Display）表示モジュール２１に対して、例えばユーザ操作入力部１１あるいはリモコン受信部１５を介して入力された操作（ユーザ入力）や選択されたチャンネル、もしくはダビング指示に対応する選択画面や操作画面等であり、所定の透過率のＯＳＤ表示（画像）を、出力させる。なお、ＯＳＤ表示の透過率は、パラメータ（αブレンディング）が設定されることで、通常の映像表示上に、薄い「半透明」状態〜濃い「半透明」状態で、通常の映像信号（再生番組の本来の濃度の映像信号）に重ね合わせられる。
【００２２】
すなわち、ＯＳＤ表示モジュール２１から出力されるＯＳＤ表示信号は、再生映像があたかも背景画像となるように、再生映像の一部を透過するよう、合成モジュール２３により、再生映像信号に重ねて出力される。なお、合成モジュール２３により合成されたＯＳＤ表示と以下に説明する録画再生信号処理モジュール９からの出力映像は、ＨＤＭＩ（High-definition Digital Media Interface）インタフェース２５を経由して、表示装置すなわちモニタ装置１０１に入力される。また、ＨＤＭＩインタフェース２５が、−ＣＥＣ（Consumer Electronics Control）タイプである場合には、モニタ装置１０１と情報記録再生装置１との間の接続状態がメイン制御モジュール５において、モニタ可能である。
【００２３】
録画再生信号処理モジュール９は、詳述しないが、ビデオエンコーダモジュール、ビデオデコーダモジュール、オーディオエンコーダモジュール、及びオーディオデコーダモジュール等、を少なくとも含む。
【００２４】
録画再生信号処理モジュール９には、例えばＤＶＤ規格や、ＤＶＤ規格に比較してより記録密度が高められた光ディスク（情報記録媒体）Ｄがセットされることで、光ディスクＤに収容されている情報を再生し、あるいはハードディスクドライブ（ＨＤＤ）２７や、チューナ３から供給される番組すなわち映像データ及びオーディオデータが記録可能なディスクドライブ装置２９が接続されている。ＨＤＤ（ハードディスクドライブ）２７は、例えば２５０〜１０００Ｇバイトの記録容量が与えられた書き換え可能な大容量記録装置であって、記録レートを変えることにより、最大で１０００時間程度の映像データおよびオーディオデータが記録可能である。なお、ＨＤＤ２７に保持されているタイトル（コンテンツ）は、詳述しないが、家庭内ネットワークやサーバに接続されている他の情報記録再生装置のハードディスク装置（ＨＤＤ−ｘ）や、情報記録再生装置１に増設されたハードディスク装置（増設ＨＤＤ）であってもよいことはいうまでもない。
【００２５】
メモリモジュール９は、詳述しないが、ワークメモリとして機能するメインメモリ（ＳＤＲＡＭ）、メイン制御モジュール５、サブ制御モジュール７および情報記録再生装置１の任意の要素を動作させるためのプログラムを保持したＲＯＭ、および詳述しないダビング予約制御部において予約された予約日時、録画／ダビング種別、長さ（開始時間／終了時間）、チャンネル（ｃｈ）、レート等の情報を保持する不揮発性メモリ（ＮＶＭ）等を含む。
【００２６】
ユーザ操作入力部１１は、図示しないが、情報記録再生装置１本体に設けられている操作ボタン群により直接指示される（ユーザからの）操作入力を受け付ける。例えば、情報記録再生装置１本体に通常設けられている再生（ＰＬＡＹ）ボタンによる再生指示や録画（ＲＥＣ）ボタンによる録画指示が、ユーザ操作入力部１１により入力可能である。
【００２７】
リモコン受信部１５は、リモコン端末１７を介してユーザから指示される制御情報、例えばチューナ３あるいは図示しないネットワークコントローラを経由して受信（取得）すべき放送波／入力の選択や、録画再生信号処理モジュール９による録画処理、ならびに光ディスクドライブ装置２９にセットされた光ディスクＤへのダビング（あるいはムーブ）すべきコンテンツ（タイトル）を決定する、等のユーザ操作を受け付ける。
【００２８】
本体表示部１９は、図３他に一例を示すが、例えば２０×２０に設定された１文字の表示エリアが任意文字分配列されたマトリクス表示領域である「文字列情報」の表示に用いられる文字表示領域と、「月」〜「日」の曜日表示、「現在時刻」表示、地上波デジタル放送を受信中であることを示す「地デジ」表示、衛星すなわちＢＳ（Broadcasting Satellite，放送衛星による）放送あるいはＣＳ（Communication Satellite，通信衛星を用いて中継された）放送を受信中であることを示す「ＢＳ」・「ＣＳ」表示、もしくはＨＤＤ２７の動作状態（録画中・再生中・再生同時録画中）等、を表示可能な表示領域が用意されたＬＣＤあるいは表示管を含む。本体表示部１９には、予約開始時刻、予約終了時刻等が表示されてもよいことはいうまでもない。なお、本体表示部１９において、「文字列情報」を表示する文字表示領域が、残りの表示領域に対して独立した『１行』として用意されていることを特徴とする。また、文字表示領域には、指定した時刻に放送している番組の番組情報が「文字列情報」として表示される。
【００２９】
図３は、図１に示した情報記録再生装置の本体表示部の表示領域の一例を示す。
【００３０】
図３に示した本体表示領域においては、ユーザ操作入力部１１の任意のボタンあるいはキーからの操作入力、もしくはリモコン１７によるリモコン受信部１５を経由したユーザ入力（以下、本体予約操作と呼称する）に応じ、例えば入力された放送局名（［ｃｈ］）や記録レート等、及び「文字列情報」を、表示する。
【００３１】
なお、本体予約操作における通常の録画予約の登録においては、ＯＳＤ表示モジュール２１からのＯＳＤ表示出力は、合成モジュール２３において、再生中あるいは録画中のコンテンツ（番組）の出力映像と合成されないことを特徴とする。従って、録画予約の登録時には、本体表示領域１９にのみ、文字列情報が表示される。また、「文字列情報」を表示する文字表示領域において一度に表示できない文字数の文字列情報については、例えば周知のスクロールにより、任意の表示位置に表示される文字が順に変化されるとともに、文字列全体が繰り返し表示される。
【００３２】
図４は、ユーザ入力に対して、何らかの理由で録画予約が登録できないこと、すなわち本体予約操作において、ユーザに、“アラート”として報知すべき「通知情報」が発生した場合の本体表示部への「文字列情報」の表示例を示す。
【００３３】
より詳細には、図９に示すフローチャートに従い、電源状態取得判断モジュール５ａにより、電源が「入」であることが検出されている状態で本体予約操作が実行されている場合［０１−ＹＥＳ］、リモコン１７あるいはユーザ操作入力部１１による入力に従い、上述した「文字列情報」が本体表示部１９に、順に表示される［０２］。
【００３４】
図４に示した「通知情報」が発生した場合、すなわち“予約ができない”何らかの理由が発生した場合には、本体予約操作に関係のある要因によるものか否かが判断される［０３］。
【００３５】
“予約ができない”理由が本体予約操作に関するものである場合、すなわち情報記録再生装置１単体の理由により予約ができない場合［０３−ＹＥＳ］には、本体表示部１９に対してのみ、“エラーメッセージ”が表示される。すなわち、本体予約操作中に、テレビジョン受信装置（モニタ装置）１０１により視聴中である映像の再生（表示）が邪魔される（妨げられる）ことがない［０４］。
【００３６】
これに対し、“予約ができない”理由が本体予約操作に関しない（本体予約操作のみに起因して生じた問題以外である）場合［０３−ＮＯ］には、図５に一例を示すが、例えば『画面をご覧ください』あるいは『画面の表示に従い操作してください』等の、情報記録再生装置（レコーダ装置）１と接続されている表示装置（テレビジョン受信装置あるいはモニタ装置）１０１の画面のＧＵＩ（Graphical User Interface）表示を参照することを促すメッセージが本体表示部１９に表示される。このとき、モニタ装置１０１には、例えば図６に示すような“アラート（警告）”であるＧＵＩが表示される。“アラート”は、“アラート”以外のモニタ装置１０１の表示領域の表示を、例えばブルーバックと称される「青系色」や「グレー系色」等の単一の色を背景色とした表示（色）とともに表示されてもよいし、実質的に背景色を非表示（モニタ装置固有の色が呈する）としてもよい［０５］。
【００３７】
なお、図６に示したＧＵＩ（“アラート”）は、例えばリモコン１７あるいはユーザ操作入力部１１により、『はい』または『いいえ』のいずれかが選択され、図示しない決定ボタンまたはキーにより対応する制御信号が入力されるまでの間、継続して表示されるものとする。また、図６に一例を示した選択メニューの選択（いずれか一方の入力の選択と確定（決定）入力）は、図示しないが、リモコン端末１７に通常設けられる、カーソル移動（矢印）キーによりフォーカスを当て、決定（設定）キーのオンにより確定されることはいうまでもない。
【００３８】
一方、電源状態取得判断モジュール５ａにより、電源が「切」であることが検出されている状態で本体予約操作が実行されている場合［０１−ＮＯ］、リモコン１７あるいはユーザ操作入力部１１による入力に従い、図７に示すような録画予約の登録のためのユーザ入力を要求する「文字列情報」が本体表示部１９に、順に表示される［０６］。
【００３９】
以下、図４に示した「通知情報」が発生した場合、すなわち“予約ができない”何らかの理由が発生した場合には、本体予約操作に関係のある要因によるものか否かが判断される［０７］。
【００４０】
“予約ができない”理由が本体予約操作に関するものである場合、すなわち情報記録再生装置（レコーダ装置）１単体の理由により予約ができない場合［０７−ＹＥＳ］には、本体表示部１９に対してのみ、図４に示したと同様の“エラーメッセージ”が表示される［０８］。
【００４１】
これに対し、“予約ができない”理由が本体予約操作に関しない（本体予約操作のみに起因して生じた問題以外である）場合［０７−ＮＯ］、本体表示部１９に、「通知情報」が表示され［０９］、電源制御モジュール７ｃによるモニタ装置（テレビ受信装置）１０１の電源のオン（「入」の状態へのセット）と、メッセージ／アラート表示処理制御モジュール５ｄの制御によるモニタ装置（テレビ受信装置）１０１の入力の情報記録再生装置（レコーダ装置）１の出力への切換えの後、例えば図８に示すようなユーザへの操作指示であって『はい』または『いいえ』による選択が必要なメニューの選択（入力指示）を促す“アラート”を表示する［１０］。なお、テレビ受信装置（モニタ装置）１０１とレコーダ装置（情報記録再生装置）１とを接続するＨＤＭＩインタフェースは、−ＣＥＣに準拠するものとする。
【００４２】
また、図８に一例を示した選択メニューの選択（いずれか一方の選択と確定（決定）入力）は、図示しないが、リモコン端末１７に通常設けられる、カーソル移動（矢印）キーによりフォーカスを当て、決定（設定）キーのオンにより確定されることはいうまでもない。なお、図８に示したＧＵＩ（“アラート”）は、例えばリモコン１７あるいはユーザ操作入力部１１により、『はい』または『いいえ』のいずれかが選択され、図示しない決定ボタンまたはキーにより対応する制御信号が入力されるまでの間、継続して表示されるものとする。
【００４３】
なお、この発明は、上述した各実施の形態に限定されるものではなく、その実施の段階ではその要旨を逸脱しない範囲で種々な変形もしくは変更が可能である。また、各実施の形態は、可能な限り適宜組み合わせて、もしくは一部を削除して実施されてもよく、その場合は、組み合わせもしくは削除に起因したさまざまな効果が得られる。
【符号の説明】
【００４４】
１…レコーダ装置（情報記録再生装置）、３…チューナ、５…主制御ブロック（メイン制御モジュール）、５ａ…電源状態取得判定モジュール、５ｂ…予約情報処理モジュール、５ｃ…アラート判断モジュール、５ｄ…メッセージ／アラート表示処理モジュール、７…副制御ブロック（サブ制御モジュール）、７ａ…本体キー検出処理部、７ｂ…リモコンキー検出処理部、７ｃ…電源制御モジュール、９…録画再生信号処理モジュール、１１…ユーザ操作入力部、１３…メモリモジュール、１５…リモコン受信部、１７…リモート端末（リモコン）、１９…本体表示部、２１…ＯＳＤ表示モジュール、２３…合成モジュール、２５…ＨＤＭＩインタフェース、２７…ＨＤＤ（ハードディスクドライブ装置）、２９…光ディスクドライブ装置、３１…電源部、１０１…モニタ装置。
【図１】
2010166415.tif 000003
【図２】
2010166415.tif 000004
【図３】
2010166415.tif 000005
【図４】
2010166415.tif 000006
【図５】
2010166415.tif 000007
【図６】
2010166415.tif 000008
【図７】
2010166415.tif 000009
【図８】
2010166415.tif 000010
【図９】
2010166415.tif 000011